(57)【特許請求の範囲】
【請求項１】
電子制御ユニットの手段であって、ガス流れに点火するために該ユニットを作動した後に、
ａ．電源（１０）より供給される直流電流からより高い電圧を発生させるトランスバータが作動され、
ｂ．より高い電圧によって点火電圧を設定するのに役立つ保管コンデンサ（Ｃ１）および点火コンデンサ（Ｃ２）が充電され、
ｃ．点火ロック磁石（６）が電源（１０）で付与された保持電流によって作動され、一方、同時に、点火ロック磁石（６）と熱電対（４）との間に存在する電気回路がリレー（１７）によって遮断され、
ｄ．保管コンデンサ（Ｃ１）は回路素子を経て不意に放電され、電流サージを発生し、点火ロックバルブ（２）を開き且つ同時に点火ロック磁石（６）のアンカー（３）を付着させるために電磁石（５）に一時的に通電し、一方、保持電流で作動した点火ロック磁石（６）のためにアンカー（３）は付着の後にこの位置で保持され、
ｅ．点火変圧器を経て点火コンデンサ（Ｃ２）に接続された点火電極（９）を経て溢流ガスを点火するために、点火火花が公知の手段で発生し、
ｆ．所定の点火手順が再開される場合には
点火コンデンサ（Ｃ２）が再充電され、
充電後に新たな点火火花が発生し、
ｇ．規定された時間の後に、点火が終了し、
ｈ．電源（１０）から点火ロック磁石（６）に流れる保持電流が中断され、そして点火ロック磁石（６）と熱電対との間の回路がリレー（１７）によって閉じられる
ことを特徴とするガス流れに点火する方法。
【請求項２】
ガス流れに点火するために作動させた後に、電子制御ユニットは、熱電対（４）の有効開回路電圧のチェックを行い、該電圧から電気的に算出される電流量が点火ロック磁石（６）用の保持電流として十分であれば点火手順を中止することを特徴とする請求項１に記載のガス流れに点火する方法。
【請求項３】
ａ．熱電対（４）における熱的電磁力が測定され、そして
点火コンデンサ（Ｃ２）が再充電され、
充電後に新たな点火火花が発生する
限りにおいて、熱的電磁力を欠いているならば点火手順が再開されるが、熱的電磁力があるならば点火を終了し、
ｂ．現存の熱的電磁力から算出される熱電電流が、アンカー（３）を点火ロック磁石（６）で保持するのに十分であると直ちに、電源（１０）から点火ロック磁石（６）に流れる保持電流が中断され、且つ点火ロック磁石（６）と熱電対との間の回路がリレー（１７）によって閉じられる
ことを特徴とする請求項１または２に記載のガス流れに点火する方法。
【請求項４】
保管コンデンサ（Ｃ１）および点火コンデンサ（Ｃ２）が、それぞれに割り当てたトランスバータによって充電されることを特徴とする請求項１から３のいずれかに記載のガス流れに点火する方法。
【請求項５】
電源（１０）より供給される直流電流から、トランスバータの代わりに電力発振器（１１）を用いてより高い電圧を発生し、
保管コンデンサ（Ｃ１）は、電力発振器（１１）の下流にある複合カスケードの第１ステージ（１２）に切り換えられ、そして規定されたより高い直流電圧まで充電され、
複合カスケードの第２ステージ（１３）と導線で接続された点火コンデンサ（Ｃ２）は、規定されたより高い直流電圧まで充電される
ことを特徴とする請求項１から３のいずれかに記載のガス流れに点火する方法。
【請求項６】
規定されたより高い直流電圧に到達した後に、電力発振器（１１）はオフに切り換えられ、ついで別の点火手順が開始されると再びオンに切り換えられることを特徴とする請求項５に記載のガス流れに点火する方法。
【請求項７】
アンカー（３）を保持するために電源（１０）から供給される保持電流は、同時に点火ロック磁石（６）およびリレー（１７）を通って流れ、且つ点火ロック磁石（６）と熱電対（４）との間の電気回路がリレー（１７）の閉鎖によって閉じられたときに、付加電流が一時的に発生することを特徴とする請求項１から６のいずれかに記載のガス流れに点火する方法。
【請求項８】
電源（１０）から点火ロック磁石（６）に供給される保持電流の電圧は、ミリボルト域でトランスバートされることを特徴とする請求項１から６のいずれかに記載のガス流れに点火する方法。
【請求項９】
熱的電磁力の存在がアナログ増幅器（２０）によって測定されることを特徴とする請求項１から８のいずれかに記載のガス流れに点火する方法。
【請求項１０】
安全のために所定の時間が経過した後に、電源（１０）による点火ロック磁石（６）への通電は、直列で時限式に接続した１個または２個以上の安全遮断器（１８）によって必然的に中断されることを特徴とする請求項１から９のいずれかに記載のガス流れに点火する方法。
【請求項１１】
点火コンデンサ（Ｃ２）を充電する前の第１点火手順に続く点火手順で、保管コンデンサ（Ｃ１）がカスケード（１２）から切断されることを特徴とする請求項５または６に記載のガス流れに点火する方法。
【請求項１２】
ガス流れに点火するための手順を実行する回路配置であって、
電源（１０）に接続されるトランスバータと、
点火ロックバルブ（２）を作動するために電磁石（５）に接続されるトランスバータより下流の保管コンデンサ（Ｃ１）および点火変圧器を経て公知の方法で点火電極（９）につながれる点火コンデンサ（Ｃ２）と、
リレー（１７）を経て電源（１０）または熱電対（４）に接続される点火ロック磁石（６）と、
電源（１０）と点火ロック磁石（６）との間に取り付けられる少なくとも１個の時限式の安全遮断器（１８）と、
熱電対（４）の電圧を測定する素子とを有することにより、
電子制御ユニットが点火装置を作動して点火コンデンサ（Ｃ２）が放電し、そして点火電極（９）で点火火花が閃光すると、溢流するガスに点火する回路配置。
【請求項１３】
保管コンデンサ（Ｃ１）は、電圧を監視および限定するために割り当てられた素子（１４）と、それに割り当てられたトランスバータとを有することを特徴とする請求項１２に記載のガス流れに点火する回路配置。
【請求項１４】
点火コンデンサ（Ｃ２）は、電圧を監視および限定するために割り当てられた素子（１４）と、それに割り当てられたトランスバータとを有することを特徴とする請求項１２に記載のガス流れに点火する回路配置。
【請求項１５】
トランスバータの代わりに、電力発振器（１１）が電源（１０）に接続され、
カスケード（１２，１３）が電力発振器（１１）より下流にあり、
素子（１４）が、電圧を監視および限定するためにカスケード（１２，１３）の後ろに設置されている
ことを特徴とする請求項１３または１４に記載のガス流れに点火する回路配置。
【請求項１６】
電力発振器（１１）は、少なくとも４個のゲートを有するＣＭＯＳ回路（１５）から発展させ、これらのゲートは、ＮＯＲゲート、ＮＡＮＤゲートまたは単純否定素子として開発されたもののいずれかであり、且つ少なくとも１個のゲートは他の並列接続ゲートより上流にあり、またはゲートより下流の相補形電界効果の電力ステージ（１６）と、さらにこれらより下流のＬＣ共振回路（Ｌ１，Ｃ３）と、位相シフター（１９）として役立つリンクとであるいくつかのＣＭＯＳ回路（１５）であることを特徴とする請求項１３に記載のガス流れに点火する回路配置。
【請求項１７】
熱電対（４）の電圧を測定する素子がアナログ増幅器（２０）であることを特徴とする請求項１２から１６のいずれかに記載のガス流れに点火する回路配置。
【請求項１８】
アナログ増幅器（２０）がクロックド分圧器より下流の交流増幅器であることを特徴とする請求項１７に記載のガス流れに点火する回路配置。
【発明の詳細な説明】
【技術分野】
【０００１】
本発明は、ガス流れに点火するための方法と、ガス調整部品を有するガス加熱ストーブに用いることができるように、この方法を実行する回路配置とに関する。
【背景技術】
【０００２】
ガス加熱ストーブ用などの設備は、多数の設計図において実現可能である。
【０００３】
そこでガスに点火する点火装置は、米国特許第５７２２８２３号に開示されている。この点火装置は、ガスバルブを操作する磁石コイルと、ガス流れに電気的に点火する点火器と、低電圧ラインを経て磁石コイルおよび点火器に連結される遠隔制御部とを有する。遠隔制御部は、通電供給部と、低電圧の設定を計時するための時限スイッチとを含んでいる。
【０００４】
この設計では、ガス流れに点火するために多量の通電を必要とする。そこで、相対的に高電力入力を意味する３個のリレーコイルを設置している。ソレノイドバルブは、点火プロセス間にコンスタントに通電され、結果として高い電力消費になる。したがって、通電供給オプションだけが回路給電である。他の欠点は、スイッチ内で生じる誤りが安全関連の問題になりうることである。
【０００５】
ガスバーナーの点火を制御するバルブ装置は、英国特許出願公開第２３５１３４１号明細書から知られている。操作スピンドルは、手によって点火ロックバルブを開く点火位置へ動かされる。操作スピンドルは、該スピンドルを動かすとマイクロスイッチと係合するので、この位置で短時間だけ保持させることが必要である。これによって、電源装置から磁石と係合するのに利用できる電圧を生じることになる。着火は、圧電スパーク点火によって行われる。電源装置は、熱電対によって付与される熱電気電流が点火ロックバルブをその開放位置に保つのに十分であるとオフに切り換えられる。
【０００６】
この解決策では、電源装置を使用することが欠点である。また、さらに苦心することは、圧電スパーク点火を実行することが必要なことである。特に、点火ロックバルブとバーナー孔との間にかなり大きい導通ギャップがあるのに、点火ロックバルブ開口と点火との時間が比較的短いので、バーナー孔で点火可能なガス混合が起こらない限り、それ以上の問題がある。
【０００７】
さらに、独国実用新案第９３０７８９５号には、加熱回路配置について、ガスバーナー用の熱電気ロッキングを有する多機能バルブを開示している。この多機能バルブは、それを操作するために室内に存在する電源装置を使用する。ガス流れに点火するために、電磁バルブは押しボタンによって通電され、点火ロックバルブを開く。ガス流れは同時に点火される。点火されたガス炎の領域にある熱電対は加熱され、且つ得た熱電気電流によって磁石を通電状態にすることになる。この磁石はアンカーをしっかり保持するので、該アンカーに連結した点火ロックバルブを開放位置に保つ。ついで押しボタンを解放することができ、電磁バルブへの通電を切る。
【０００８】
ここでは、熱電気電流が点火ロックバルブを開放位置で保つまで、圧力バルブを十分長い間保持しなければならないという欠点がある。また、回路給電が必要となるために、電磁バルブが電源装置を介してこの時間通電されたままである点から見て、電力消費が相対的に多いという欠点もある。
【０００９】
英国特許出願公開第２３５１３４１号と独国実用新案第９３０７８９５号に開示されたいずれの解決策も、装置を全自動で作動することができず、手動操作が必要であるという欠点を有している。
【特許文献１】米国特許第５７２２８２３号明細書
【特許文献２】英国特許出願公開第２３５１３４１号明細書
【特許文献３】独国実用新案第９３０７８９５号明細書
【発明の開示】
【００１０】
本発明は、ガス流れに完全自動点火するための方法と、この方法を実行するスイッチ配置であって、十分な寿命を有する統合電源に用いることが可能な低電力消費であるスイッチ配置とを開発する課題に基づいている。また、この構造は、可能な限り単純且つ安価になるようにすべきである。
【００１１】
本発明に従って、電源で付与される直流からより高い電圧を発生するトランスバータを作動することによって手順の課題を解決し、該電源により、点火電圧を付与するための保管コンデンサおよび点火コンデンサに荷電する。本質的に公知の点火ロック磁石は、電源で付与される保持電流によって作動され、一方、同時に、点火ロック磁石と、ガス炎によって影響を受けうる熱電対との間に存在する電気回路は、リレーによって中断される。ついで保管コンデンサは、回路素子によって不意に放電され、本質的に公知の点火ロックバルブを開き且つ同時に点火ロック磁石のアンカーに適用させるために、電流サージを発生しそして電磁石に一時的に通電する。保持電流で作動される点火ロック磁石のために、アンカーは、適用の後にこの位置で保持され、溢流ガスに点火するために点火火花は、公知の仕方の変圧器を経て点火コンデンサとつながった点火電極を介して発生する。続いて、別の点火手順が開始され、それによって点火コンデンサが再充電され、且つ充電が行われた後に新たな点火火花を発生する。規定された時間の後に点火を終了する。電源から点火ロック磁石に流れる保持電流は中断され、且つ点火ロック磁石と熱電対との間の回路は、リレーによって閉じられる。
【００１２】
これによって、先行技術の前記の欠点を改善する解決策を見い出している。電子制御ユニットの簡単な操作によって、ガス流れの点火を容易化する。制御ユニットを作動する時間と関わりない電磁石の単なるパルス作動の点から見て、非常に低い所要電力量になる。また、圧電点火装置の付加的コストが必要なくなるように、点火火花を発生させるために電源にアクセスすることが可能である。
【００１３】
本発明の有益な具体例は、他の特許請求の範囲から導き出せる。
【００１４】
電子制御ユニットがガス流れに点火するために作動された後に、ガス炎が燃えているかどうかを測定するためのチェックが行われるならば有益であることが証明される。情報が肯定的ならば点火手順が中止され、一方、情報が否定的ならば点火手順の前記の段階が実行される。
【００１５】
また、熱的電磁力の存在が測定されるならば本発明方法の有益な具体例になるが、一方、熱的電磁力がないならば他の点火手順が開始される。しかしながら、熱的電磁力の形跡があるならば点火は終了する。熱的電磁力の測定は、電気的に算出された熱電気電流がアンカーを点火ロック磁石に保持させるのに十分であることを示すと直ちに、電源から点火ロック磁石に流れる保持電流が阻止され、点火ロック磁石と熱電対との間の電気回路がリレーによって閉じられる。
【００１６】
また、保管コンデンサおよび点火コンデンサが、異なる電圧でそれぞれに割り当てられたトランスバータを介して比較的容易に充電されるのに適している。
【００１７】
より高い交流電流が、電源より供給される直流電流から生じるならば本発明方法の好都合な具体例になり、それによって電力発振器がトランスバータの代わりに用いられ、且つ保管コンデンサが、点火手順を開始するときに単に複合カスケードの第１ステージに切り換えられるとすぐ、保管コンデンサおよび複合カスケードの第２ステージと導線で接続された点火コンデンサは、カスケード回路を経てより高い交流電流によって規定のより高い電圧に充電される。規定されたより高い直流電圧に到達した後に、電力発振器はオフに切り換えられ、他の点火手順が開始されると再びオンに切り換えられる。
【００１８】
電源が電池であって、遠隔制御部の受信部のハウジングの中に電子制御ユニットとともに設置されるほど電池の寸法が小さくなる時に特に重要であるそれ以上の所要電力量を減らすために、アンカーを保持するための電源で供給される保持電流が、点火ロック磁石およびリレーを通って同時に流れることができ、一方、点火ロック磁石と熱電対との間の電気回路が閉じられたときに、リレーの切り換え接点が挿入されると電流の一時的な中断のために、リレーを再配置する時のアンカー脱落を安全に阻止するために付加電流が一時的に発生する。他方では、電源から点火ロック磁石に供給される保持電流の電圧が、追加のトランスバータによってミリボルト域でトランスバート（transvert）させることに適している。
【００１９】
また、熱的電磁力の存在がアナログ増幅器を用いて計測されるならば好都合である。
【００２０】
本発明方法の安全性は、ブレイクダウンが起こったときなどに、手順ステップによって増大させ、該手順ステップでは、所定の時間が経過した後に、直列で時限式に接続された１個または２個以上の独立の安全遮断器を用いることによって電源から点火ロック磁石への通電を中断する。
【００２１】
第１点火手順と次の点火手順との間の時間を可能な限り短時間に保つために、点火コンデンサをさらに周期的に充電する前に、保管コンデンサをカスケードから切ることによってエネルギを節約することが望ましい。
【００２２】
回路配置に関する限り、請求項１２に記載された特徴によって本発明に従って課題を解決する。有益な具体例および展開的発展は、関連の各従属項に提示されている。
【実施例】
【００２３】
ガス流れに点火するための本発明の主題である手順と本発明に係る回路配置とを、下記の具体例においてより詳細に説明する。個々の図面は図１から図３に示している。
【００２４】
ガス流れに点火する方法を実行するために、図１に例示した本発明に係る回路配置は、ガス調整バルブに用いられている。このガス調整バルブは、好ましくはガス加熱の煙突ストーブなどに取り付ける切換えおよび調整装置である。これによって、バーナーへ流れるガス容量を制御するバーナーの作動および監視を容易化する。本発明にとって重要でないが故にこの具体例で示さないアセンブリと同様に、ガス調整バルブは、点火バーナー１および点火ロックバルブ２を有する。点火バーナー１および点火ロックバルブ２の設計図と機能は、専門家に知られている故に詳細には説明しない。
【００２５】
これは、電子制御ユニットとして役立つマイクロコンピュータモジュール（図示しない）によってトリガーされ、該ユニットは、この具体例において、電源１０とともに遠隔制御部の受信セクションの分離配置ハウジング（同様に図示しない）内に設置されている。電源１０は、図面に示すように一般市販の電池からなり、この場合にはサイズＲ６である。
【００２６】
マイクロコンピュータモジュールからポートＪを経てトリガーされる電力発振器１１（以下でより詳細に説明）は、電源１０と接続される。これと直列に、下流の保管コンデンサＣ１をトリガー且つ給電しおよび下流の保管コンデンサＣ２をトリガー且つ給電するのに役立つカスケード回路１２，１３がある。保管コンデンサＣ１を充電するのに必要な電圧は、点火コンデンサＣ２を充電するのに必要な電圧よりもかなり小さいので、カスケード回路１２，１３は複合カスケード回路として設計される。
【００２７】
ここでカスケードの第１ステージ１２は、下流の保管コンデンサＣ１をトリガー且つ給電するのに役立つ。これより下流には順に、図面で概略的に図示するように、本質的に公知の点火ロックバルブ２を作動させるのに役立つ電磁石５がある。充電時間の短さから見て、低熱容量のいわゆるパルス磁石５で十分である。
【００２８】
カスケードの第２ステージ１３は、下流の点火コンデンサＣ２をトリガーし且つ給電するのに役立ち、該コンデンサは、本質的に公知であり且つそれ故にそれ以上詳しく述べない点火装置の一部である。点火コンデンサＣ２は、ポートＣを経てマイクロコンピュータモジュールによって点火するためにトリガーされる。カスケードの第２ステージ１３は、電圧を監視するために素子１４と接続される。同時に、素子１４は、コンポーネントの破壊を阻止するために、起こりうる最高電圧を限定するのに役立つ。保管コンデンサＣ１用の追加の電圧モニタは、点火コンデンサＣ２を充電した後に保管コンデンサＣ１もまた充電されると思われるので省略することができる。ポートＤは、マイクロコンピュータモジュールへチェックバック信号を送るのに役立つ。
【００２９】
図２は、用いられる電力発振器１１用の回路を詳細に示している。電力発振器１１は、専門家には本質的に公知である少なくとも４個のゲートを有するＣＭＯＳ電子回路１５からなる。これらのゲートは、ＮＯＲゲート、ＮＡＮＤゲート、単純否定素子（simple negators）などであればよい。これらから下流に、相補形電界効果の電力ステージ１６があり、該ステージには、コイルＬ１およびＨＦコンデンサC３からなるＬＣ直列発振回路を接続する。ＲＣリンクは、フィードバックおよび位相調整用のいわゆる位相シフター１９として役立つ。
【００３０】
さらに図１に示すように、点火ロックバルブ２の一部を形成する点火ロック磁石６は、熱電対４と連結させる。また、単安定リレー１７の常時閉接点はこの回路内に設置されているが、この回路は通電状態で開き、且つ点火ロック磁石６は電池によって給電される電源１０から電流を受け入れる。これに加えて、ポートＧを経てマイクロコンピュータモジュールでトリガーされる回路素子（この場合にはトランジスタＴ１）は、一方では電源１０と接続し、他方ではリレー１７と接続する。また、点火ロック磁石６に要する保持電流がリレー１７を経て流れる電流よりも高くなるように、抵抗Ｒ１はリレー１７と並列に設置される。また、この回路は、直列接続で時限式の２個の安全遮断器１８を有し、該遮断器は、制御のために、ポートＨおよびＭを経てマイクロコンピュータモジュールと接続する。
【００３１】
２個の別の回路素子つまりトランジスタＴ２およびトランジスタＴ３は、リレー１７と安全遮断器１８との間の回路につなぐ。上流に抵抗Ｒ３があるトランジスタＴ２は、電源１０の負端子と接続され、且つポートＦを経てマイクロコンピュータモジュールでトリガーされるのに対し、トランジスタＴ３は、電源１０の正端子と接続され、且つポートＥを経てマイクロコンピュータモジュールでトリガーされる。
【００３２】
これに加えて、アナログ増幅器２０が、熱電対４と並列に接続される。このアナログ増幅器２０は、熱電対４でミリボルト域において起こる直流を計測する仕事を有し、それを増幅しそしてそれをマイクロコンピュータモジュールが処理できる領域へ変換する。この他にこのような場合の通例として、直流増幅器は一方では作動電圧よりも高い補助的な給電を必要とし、且つ他方では例えば温度の影響によってドリフト偏差を受けるので、アナログ増幅器２０は交流増幅器として設計されている。
【００３３】
また、図３に示すようなアナログ増幅器が以下で説明される。
【００３４】
ポートＬを経てマイクロコンピュータモジュールでトリガーされる電界効果トランジスタＴ４および抵抗Ｒ２は、制御可能な分圧器を形成する。前置増幅器およびブースタ増幅器は、相互に割り当てられる阻止コンデンサＣ４，Ｃ５とともに、この分圧器よりも下流にある。
【００３５】
前置増幅器Ｖ１によって、規準ポテンシャルが、オンボード電圧の変動を除くために正電圧によって形成される。他方では、ブースタ増幅器Ｖ２の場合には、規準ポテンシャルが質量によって形成される。両増幅器Ｖ１，Ｖ２およびトリガーＴＲは、これらが電気を消耗させないことを要しないときには作動不能にされるけれども、ポートＫを通してマイクロコンピュータモジュールによって作動される。ブースタ増幅器Ｖ２より後のトリガーＴＲは、その一部についてポートＩを経てマイクロコンピュータモジュールとつながれる。
【００３６】
本発明方法を実行するために、点火命令が、遠隔操作部を経てマイクロコンピュータモジュールに送られる。ポートＫを経て起動されるアナログ増幅器２０は、熱的電磁力が熱電対４に掛かっているかどうかをチェックし、そしてその関連情報がポートＩを経てマイクロコンピュータモジュールへ送られる。燃えている口火と等しい既存の熱的電磁力があるならば点火手順が中止されるが、熱的電磁力がないならば、アナログ増幅器２０の分圧器は、ポートＬを経てマイクロコンピュータモジュールによってトリガーされる。分圧器のシングルスイッチングは、この時に熱電対４で直流を交流のパルスに変換する。このパルスは、阻止コンデンサＣ４を経て前置増幅器Ｖ１に到達する。前置増幅器Ｖ１からの信号は、阻止コンデンサＣ５を経てブースタ増幅器Ｖ２に送られ且つさらに増幅される。ブースタ増幅器Ｖ２から来るアナログ信号は、図３と関連づけた図表に示すように、トリガーＴＲによって固定トリガーポイントでデジタル化される。
【００３７】
この図表では、時間ｔにおける電圧Ｕの経過をプロットする。規定された電圧レベルＳＥにおいてパルス信号ＩＳを導入して、時間ＴＬでトリガーＴＲは開始トリガーポイントＴＲ１を設定し、パルス信号ＩＳの電圧の解放で、時間ＴＥが振り当てられる第２トリガーポイントＴＲ２を設定する。時間ＴＬとＴＥでの２点間の時間経過が、測定信号ＭＳである。
【００３８】
現存の熱的電磁力から得られる特定信号ＭＳは、ポートＩを経てマイクロコンピュータモジュールに到達する。測定信号ＭＳの長さは、熱電対４において熱的電磁力に正比例する。
【００３９】
何らかの熱的電磁力があればすなわち口火が既に燃えていれば、点火手順が中止されるが、他方において熱的電磁力がないならば、電力発振器１１はポートＪを経てマイクロコンピュータモジュールによって作動され、且つ保管コンデンサＣ１はポートＡを介して複合カスケードの第１ステージ１２に切り換えられる。
【００４０】
電力発振器１１を作動するとフィードバック素子を通して共振回路を発振し始め、すなわち共振回路が自己振動型および振動数測定の電力発振器１１になる。これは、電力発振器１１からの出力で、入力側に電池で給電される低い直流に対立するより高い交流が幾度も生じることを意味する。電圧を監視し且つ発生の最高電圧を限定するのに役立つ素子１４が応答しそしてポートＤを経てマイクロコンピュータモジュールに信号を送るまで、この交流は、２個のカスケードステージ１２，１３の助けによって保管コンデンサＣ１および点火コンデンサＣ２を充電し、それからポートＪを経て電力発振器１１をオフに切り換える。
【００４１】
ついで、時限式の安全遮断器１８は、ポートＭを経て作動され、且つ点火ロック磁石６は、ポートＧを経てトリガーされるトランジスタＴ１を介して電源１０から保持電流を供給され、リレー１７に通電し、そこで点火ロック磁石６と熱電対４との間の回路を開く。保管コンデンサＣ１は、ポートＢの後続のトリガリングによって不意に放電される。そこで直ちに、保管コンデンサＣ１は、ポートＡを介してカスケードステージ１２から分離される。パルス磁石５は、この電力サージによって一時的に通電され、且つタペット７は、はね返りバネ８の弾力に逆らって十分に移動して、アンカー３を点火ロック磁石６に付着させる。保持電流が流れるために、アンカー３はこの位置で保持され、点火ロックバルブ２をこの開放位置に保つ。ガスは、ガス調整バルブを通って点火バーナー１へ流れることができる。
【００４２】
ブレイクダウンが構成部品の故障などの結果として起こるならば、所定の時間が経過した後に、電源１０による点火ロック磁石６への通電は、直列で時限的に接続された１個または２個以上の独立の安全遮断器１８によって阻止され、そして点火ロックバルブは開放位置のままであるが、はね返りバネ８によって再び閉じられる。
【００４３】
マイクロコンピュータモジュールがポートＣを経て点火装置を作動し、点火コンデンサＣ２が放電し、そして点火電極９で点火火花が閃光し、溢流するガスに点火する。所定の時間が経過した後、この実施例ではほぼ１秒後に、アナログ増幅器２０はポートＫおよびＬを経て作動され、口火が燃えている結果として加熱が開始されるので、検出可能な電圧が既に熱電対４に適用されたかどうか、すなわち少なくともほぼ１ｍＶを計測するためのチェックを実行する。
【００４４】
これが前記の場合でないならば、別の点火手順が導入され、前記で既に詳細に説明したように、その時に電力発振器１１が作動され、点火コンデンサＣ２が充電され、ついで新たな点火火花が発生すると再び放電される。次の点火手順により、保管コンデンサＣ１へのそれ以上の充電がもはや必要なくなるので、保管コンデンサＣ１は、電力を節約するためにカスケードステージ１２から分離される。ガスの点火が特定の期間内に起こらないならば、マイクロコンピュータモジュールは点火手順を中止する。
【００４５】
最小電圧が存在するならば、勿論、それ以上の点火手順は開始されないが、熱電対４の有効開回路電圧は、これから電気的に算出される電流量が点火ロック磁石６用の保持電流として十分になるまで再びチェックされる。このポイントで、アナログ増幅器２０は、ポートＫを介して作動しなくなり、且つ電源１０から点火ロック磁石６へ流れる電流は、ポートＧによって阻止される。リレー１７には通電されなくなり、そしてリレー１７の開閉接点は、熱電対４と点火ロック磁石６との間の回路を閉じる。ついでアンカー３は、熱電気電流によって保持される。
【００４６】
リレー１７の開閉接点を切り換えるときの保持電流の本質的に一時的な中断でアンカー３が脱落することを防ぐために、トランジスタＴ２は、切り換え時間にポートＦを経て一時的に作動され、且つ付加電流が抵抗Ｒ３を経て同様に短時間発生し、前述したように安全にアンカーが抜けないようにする。
【００４７】
ガス調整バルブがオフに切り換えられるならば、スイッチオフ命令が、遠隔操作部を経てマイクロコンピュータモジュールに渡される。安全遮断器１８および点火ロック磁石６を迂回する間に、一時的に作動するポートＧおよびポートＥによって、電力サージがリレー１７を通って送られ、その開閉接点が結果として一時的にリフトオフになる。これは、熱電対４と点火ロック磁石６との間を流れる保持電流を阻止する。アンカーはもはや点火ロック磁石６によって保持されず、且つ点火ロックバルブ２ははね返りバネ８の影響の下に閉じる。点火バーナー１そして勿論主バーナー（図示しない）へ流れるガスは阻止され、そしてガス炎は消される。
【００４８】
本発明の主題である方法およびその方法を実行する回路配置は、当然、記載された具体例に限定されるものではない。変更、改作および組み合わせは、本発明の範囲を逸脱することなしに可能である。
【００４９】
制御信号の伝達は、一般に知られているように、ケーブル、赤外線、電波、超音波などによって行われうることが明らかである。遠隔制御部を用いず且つ全ての必要な構成部品がガス調整バルブ上または該バルブ内に配置することも可能である。また、直接点火される主バーナーだけがあることも可能である。さらに、小型のプラグイン式電源装置は、電池の代わりに、容易にプラグインできる電源１０として用いることができる。
【図面の簡単な説明】
【００５０】
【図１】回路配置を示す概略図面である。
【図２】電力発振器を示す詳細図面である。
【図３】アナログ増幅器を示す詳細図面である。
【符号の説明】
【００５１】
１    点火バーナー
２    点火ロックバルブ
３    アンカー
４    熱電対
５    パルス磁石
６    点火ロック磁石
７    タペット
８    はね返りバネ
９    点火電極
１０    電源
１１    電力発振器
１２    第１カスケードステージ
１３    第２カスケードステージ
１４    電圧の監視・限定用素子
１５    ＣＭＯＳ回路
１６    相補形電界効果の電力ステージ
１７    リレー
１８    安全遮断器
１９    位相シフター
２０    アナログ増幅器
Ａ〜Ｍ    ポート
Ｃ１    保管コンデンサ
Ｃ２    点火コンデンサ
Ｃ３    ＨＦコンデンサ
Ｃ４    阻止コンデンサ
Ｃ５    阻止コンデンサ
ＩＳ    パルス信号
Ｌ１    コイル
ＬＳ    パルス信号
ＭＳ    測定信号
Ｒ１    抵抗
Ｒ２    抵抗
Ｒ３    抵抗
ＳＥ    電圧レベル
ＴＥ    ＴＲ２での時間
ＴＬ    ＴＲ１での時間
ＴＲ    トリガー
ＴＲ１    トリガーポイント
ＴＲ２    トリガーポイント
Ｔ１    トランジスタ
Ｔ２    トランジスタ
Ｔ３    トランジスタ
Ｔ４    電界効果トランジスタ
Ｖ１    ブースタ増幅器
Ｖ２    前置増幅器
【図１】
0004495719.tif 000002
【図２】
0004495719.tif 000003
【図３】
0004495719.tif 000004